(57)【要約】【課題】発光面である環状の導光部の内周面を視認することができる照明装置および容器ホルダを提供することである。【解決手段】実施形態に係る照明装置は、環状を呈する導光部と；発光素子を有し、前記導光部に光を照射する発光部と；一端が前記導光部の外周面に設けられ、他端が前記発光部に対峙した入射部と；を具備している。    前記入射部の軸線と、前記入射部と前記導光部との接続部分における中心を通り前記導光部の内周面に接する線と、の間の角度は、０°を超えている。【選択図】図３
2015050110.tif 000002
【特許請求の範囲】
【請求項１】
環状を呈する導光部と；
発光素子を有し、前記導光部に光を照射する発光部と；
一端が前記導光部の外周面に設けられ、他端が前記発光部に対峙した入射部と；
を具備し、
前記入射部の軸線と、前記入射部と前記導光部との接続部分における中心を通り前記導光部の内周面に接する線と、の間の角度が０°を超えた照明装置。
【請求項２】
平面視における前記接続部分の近傍の幅寸法は、平面視における前記導光部の幅寸法よりも長い請求項１記載の照明装置。
【請求項３】
平面視における形状が円の一部となる内周面を有する第１の照射部と、
平面視における形状が円の一部となる内周面を有する第２の照射部と、
一端が前記第１の照射部の一端に設けられ、他端が前記第２の照射部の一端に設けられた第３の照射部と、
一端が前記第１の照射部の他端に設けられ、他端が前記第２の照射部の他端に設けられた第４の照射部と、
を有し、環状を呈した導光部と；
発光素子を有し、前記導光部に光を照射する発光部と；
を具備し、
前記発光部から照射され、前記導光部に入射した光が、前記導光部の内周面から照射される照明装置。
【請求項４】
一端が前記導光部に設けられ、他端が前記発光部に対峙した入射部をさらに備えた請求項３記載の照明装置。
【請求項５】
前記入射部の一端は、前記第１の照射部の外周面および前記第２の照射部の外周面の少なくともいずれかに設けられた請求項４記載の照明装置。
【請求項６】
前記入射部の軸線と、前記入射部と前記第１の照射部との接続部分における中心を通り前記第１の照射部の内周面に接する線と、の間の角度が０°を超える請求項５記載の照明装置。
【請求項７】
前記入射部の軸線と、前記入射部と前記第２の照射部との接続部分における中心を通り前記第２の照射部の内周面に接する線と、の間の角度が０°を超える請求項５記載の照明装置。
【請求項８】
平面視における前記接続部分の近傍の幅寸法は、平面視における前記第１の照射部の幅寸法および前記第２の照射部の幅寸法よりも長い請求項６または７に記載の照明装置。
【請求項９】
平面視における前記第３の照射部の幅寸法および前記第４の照明部の幅寸法は、平面視における前記第１の照射部の幅寸法および前記第２の照射部の幅寸法よりも長い請求項１〜８のいずれか１つに記載の照明装置。
【請求項１０】
前記導光部の内周面および外周面の少なくともいずれかには凹凸が設けられている請求項１〜９のいずれか１つに記載の照明装置。
【請求項１１】
容器を挿入する孔部を有したカバー部と；
前記容器を挿入する開口を有し、前記カバー部の孔部に前記開口を対峙させて設けられた保持部と；
前記カバー部と、前記保持部と、の間に設けられた請求項１〜１０のいずれか１つに記載の照明装置と；を具備した容器ホルダ。
【発明の詳細な説明】
【技術分野】
【０００１】
本発明の実施形態は、照明装置および容器ホルダに関する。
【背景技術】
【０００２】
環状の導光部と、導光部の側面に向けて光を照射する発光ダイオードを備えた照明装置がある。  
この様な照明装置によれば、環状の導光部の内側に設けられた部材に対して周囲から光を照射することができる。  
しかしながら、発光面である環状の導光部の内周面を視認することが困難であった。
【先行技術文献】
【特許文献】
【０００３】
【特許文献１】特開２００１−１１８４６３号公報
【発明の概要】
【発明が解決しようとする課題】
【０００４】
本発明が解決しようとする課題は、発光面である環状の導光部の内周面を視認することができる照明装置および容器ホルダを提供することである。
【課題を解決するための手段】
【０００５】
実施形態に係る照明装置は、環状を呈する導光部と；発光素子を有し、前記導光部に光を照射する発光部と；一端が前記導光部の外周面に設けられ、他端が前記発光部に対峙した入射部と；を具備している。  
前記入射部の軸線と、前記入射部と前記導光部との接続部分における中心を通り前記導光部の内周面に接する線と、の間の角度は、０°を超えている。
【発明の効果】
【０００６】
本発明の実施形態によれば、発光面である環状の導光部の内周面を視認することができる照明装置および容器ホルダを提供することができる。
【図面の簡単な説明】
【０００７】
【図１】本実施の形態に係る容器ホルダ１００を例示するための模式斜視図である。
【図２】本実施の形態に係る容器ホルダ１００を例示するための模式分解図である。
【図３】本実施の形態に係る照明装置１を例示するための模式図である。
【図４】導光部３の断面形状を例示するための模式部分斜視図である。
【図５】比較例に係る導光部３０における光漏れの様子を例示するための図である。
【図６】本実施の形態に係る導光部３における光漏れの様子を例示するための図である。
【図７】（ａ）、（ｂ）は、導光部３の断面寸法と入光効率との関係を例示するためのグラフ図である。
【図８】１つの容器を保持させることができる容器ホルダ１１０を例示するための模式斜視図である。
【図９】容器ホルダ１１０に設けられる導光部１３を例示するための模式図である。
【図１０】他の実施形態に係る入射部の配設形態を例示するための模式斜視図である。
【発明を実施するための形態】
【０００８】
実施形態に係る照明装置は、環状を呈する導光部と；発光素子を有し、前記導光部に光を照射する発光部と；一端が前記導光部の外周面に設けられ、他端が前記発光部に対峙した入射部と；を具備している。  
前記入射部の軸線と、前記入射部と前記導光部との接続部分における中心を通り前記導光部の内周面に接する線と、の間の角度は、０°を超えている。  
この照明装置によれば、発光面である環状の導光部の内周面を視認することができる。  また、接続部分の近傍における発光面の明るさが明るくなりすぎるのを抑制することができる。
【０００９】
また、平面視における前記接続部分の近傍の幅寸法は、平面視における前記導光部の幅寸法よりも長くすることができる。  
この様にすれば、接続部分の近傍における発光面の明るさが明るくなりすぎるのを抑制することができる。
【００１０】
実施形態に係る照明装置は、平面視における形状が円の一部となる内周面を有する第１の照射部と、平面視における形状が円の一部となる内周面を有する第２の照射部と、一端が前記第１の照射部の一端に設けられ、他端が前記第２の照射部の一端に設けられた第３の照射部と、一端が前記第１の照射部の他端に設けられ、他端が前記第２の照射部の他端に設けられた第４の照射部と、を有し、環状を呈した導光部と；発光素子を有し、前記導光部に光を照射する発光部と；を具備している。  
前記発光部から照射され、前記導光部に入射した光が、前記導光部の内周面から照射される。  
この照明装置によれば、発光面である環状の導光部の内周面を視認することができる。
【００１１】
また、この照明装置は、一端が前記導光部に設けられ、他端が前記発光部に対峙した入射部をさらに備えることができる。  
この照明装置によれば、入光効率を高めることができる。
【００１２】
また、前記入射部の一端は、前記第１の照射部の外周面および前記第２の照射部の外周面の少なくともいずれかに設けられている。  
この照明装置によれば、入射部の配置が容易となる。
【００１３】
また、前記入射部の軸線と、前記入射部と前記第１の照射部との接続部分における中心を通り前記第１の照射部の内周面に接する線と、の間の角度が０°を超えるようにすることができる。  
この様にすれば、接続部分の近傍における発光面の明るさが明るくなりすぎるのを抑制することができる。
【００１４】
また、前記入射部の軸線と、前記入射部と前記第２の照射部との接続部分における中心を通り前記第２の照射部の内周面に接する線と、の間の角度が０°を超えるようにすることができる。  
この様にすれば、接続部分の近傍における発光面の明るさが明るくなりすぎるのを抑制することができる。
【００１５】
また、平面視における前記接続部分の近傍の幅寸法は、平面視における前記第１の照射部の幅寸法および前記第２の照射部の幅寸法よりも長くなるようにすることができる。
この様にすれば、接続部分の近傍における発光面の明るさが明るくなりすぎるのを抑制することができる。
【００１６】
また、平面視における前記第３の照射部の幅寸法および前記第４の照明部の幅寸法は、平面視における前記第１の照射部の幅寸法および前記第２の照射部の幅寸法よりも長くなるようにすることができる。  
この様にすれば、前記第３の照射部の端部の近傍および前記第４の照明部の端部の近傍における発光面の明るさが明るくなりすぎるのを抑制することができる。
【００１７】
また、前記導光部の内周面および外周面の少なくともいずれかには凹凸が設けられるようにすることができる。  
この様にすれば、発光面の明るさを明るくすることができる。
【００１８】
また、本実施の形態に係る容器ホルダは、容器を挿入する孔部を有したカバー部と；前記容器を挿入する開口を有し、前記カバー部の孔部に前記開口を対峙させて設けられた保持部と；前記カバー部と、前記保持部と、の間に設けられた上記のいずれか１つの照明装置と；を具備している。  
この容器ホルダによれば、発光面である環状の導光部の内周面を視認することができる。そのため、容器の挿入が容易となる。
【００１９】
以下、図面を参照しつつ、実施の形態について例示をする。なお、各図面中、同様の構成要素には同一の符号を付して詳細な説明は適宜省略する。  
図１は、本実施の形態に係る容器ホルダ１００を例示するための模式斜視図である。
図２は、本実施の形態に係る容器ホルダ１００を例示するための模式分解図である。
図３は、本実施の形態に係る照明装置１を例示するための模式図である。  
図４は、導光部３の断面形状を例示するための模式部分斜視図である。
【００２０】
図１および図２に示すように、容器ホルダ１００には、カバー部１０１、保持部１０２、および照明装置１が設けられている。  
図１および図２に例示をした容器ホルダ１００には、容器を２つまで保持させることができる。  
容器ホルダ１００に保持させる容器は、例えば、飲料が収納される容器とすることができる。容器は、例えば、紙や樹脂などからなるカップ、缶、瓶などとすることができる。
【００２１】
容器ホルダ１００は、例えば、自動車、鉄道車両、航空機、船舶などの移動体の室内に設けることができる。この場合、容器ホルダ１００は、例えば、乗員が座る座席の近傍に設けることができる。
【００２２】
また、容器ホルダ１００に容器を保持させた場合には、容器の端部がカバー部１０１から突出するようになっている。  
そして、容器を挿入していない状態においては、カバー部１０１の孔部１０１ａを介して導光部３の内周面３ｇ（発光面）が目視できるようになっている。
【００２３】
カバー部１０１は、板状を呈し、容器を挿入するための孔部１０１ａが設けられている。
孔部１０１ａは、カバー部１０１を厚み方向に貫通している。孔部１０１ａの大きさと形状は、環状の導光部３の内側の孔の大きさと形状と同じとなっている。そのため、容器ホルダ１００を組み立てた際には、平面視において、孔部１０１ａの縁と、導光部３の内周面とが重なるようになっている。  
カバー部１０１の材料には特に限定はないが、例えば、樹脂などとすればカバー部１０１の製造が容易となる。  
また、カバー部１０１は、遮光性を有していてもよいし、透光性を有していてもよい。
【００２４】
カバー部１０１と照明装置１の接合は、例えば、接着剤による接着などとすることができる。  
ただし、カバー部１０１と照明装置１の接合は、必ずしも必要ではなく、例えば、照明装置１がカバー部１０１と保持部１０２とに挟まれているだけでもよい。  
また、カバー部１０１は、車両の内装材とすることもできる。
【００２５】
保持部１０２は、箱状を呈し、一方の端部側が開口している。保持部１０２の他方の端部側は、開口していてもよいし、開口していなくてもよい。保持部１０２は、カバー部１０１の孔部１０１ａに開口を対峙させて設けられている。  
保持部１０２の開口には、容器が挿入され、保持部１０２の内部の側壁および内部の底面の少なくともいずれかで、挿入された容器を保持することができるようになっている。
【００２６】
保持部１０２は、照明装置１が設けられる側とは反対側に向かうに従い断面積が漸減する形状を有している。  
保持部１０２の材料には特に限定はないが、例えば、樹脂などとすれば保持部１０２の製造が容易となる。  
また、発光素子２ｂの発熱量が多い場合には、熱伝導率の高い材料を用いて保持部１０２を形成することもできる。
【００２７】
熱伝導率の高い材料は、例えば、高熱伝導性樹脂、金属、酸化アルミニウムや窒化アルミニウムなどのセラミックスなどとすることができる。  
なお、高熱伝導性樹脂は、例えば、ＰＥＴ（Polyethyleneterephthalate）やナイロンなどの樹脂に、熱伝導率の高い炭素や酸化アルミニウムなどからなる繊維や粒子を混合させたものである。
【００２８】
保持部１０２の開口側の端部には、保持部１０２の外方に向けて突出する取付座１０２ａが設けられている。  
取付座１０２ａには、発光部２の筐体部２ａが取り付けられる。例えば、取付座１０２ａには、発光部２の筐体部２ａがねじ止めされる。
【００２９】
保持部１０２と照明装置１の接合は、例えば、接着剤による接着などとすることができる。  
ただし、保持部１０２と照明装置１の接合は、必ずしも必要ではなく、例えば、照明装置１がカバー部１０１と保持部１０２とに挟まれているだけでもよい。  
また、保持部１０２は、例えば、車両に設けられる部材などとすることができる。
【００３０】
照明装置１は、カバー部１０１と保持部１０２の間に設けられている。  
図３に示すように、照明装置１には、発光部２および導光部３が設けられている。
発光部２には、筐体部２ａおよび発光素子２ｂが設けられている。  
図３に例示をしたものの場合には、発光部２が２つ設けられている。
【００３１】
発光部２から照射された光は、導光部３の内部に導入され、導光部３の内部を伝播する。この際、伝播する光は減衰するので、伝播する距離が長くなるほど導光部３から照射される光の強度が弱くなるおそれがある。この場合、複数の発光部２を設け、発光部２同士の間の距離を短くすれば、導光部３から照射される光の強度の均一化を図りやすくなる。一方、発光部２の数を多くすると照明装置１の大型化や高コスト化を招くことになる。
そのため、発光部２の数は、導光部３から照射される光の強度が所定の値以上となるように適宜変更することができる。  
なお、導光部３から照射される光の強度が所定の値以上であれば、発光部２の数は１つでもよい。
【００３２】
筐体部２ａは、発光素子２ｂを保持するとともに、発光素子２ｂを保護する。  
筐体部２ａは、平面形状がＴ字状を呈し、一方の端部が光の照射面２ａ１となっている。照射面２ａ１には、レンズなどの光学要素を設けることもできる。
【００３３】
また、筐体部２ａの他方の端部には取付座２ａ２が設けられている。  
容器ホルダ１００を組み立てる際には、取付座２ａ２を保持部１０２の取付座１０２ａの上に載置し、取付座２ａ２に設けられた穴に例えばタッピングねじをねじ込むことで、保持部１０２に筐体部２ａ、ひいては発光部２を取り付けることができる。
【００３４】
筐体部２ａの材料には特に限定はないが、例えば、樹脂などとすれば筐体部２ａの製造が容易となる。  
また、発光素子２ｂの発熱量が多い場合には、熱伝導率の高い材料を用いて筐体部２ａを形成することもできる。  
熱伝導率の高い材料は、例えば、前述した高熱伝導性樹脂、金属、酸化アルミニウムや窒化アルミニウムなどのセラミックスなどとすることができる。
【００３５】
発光素子２ｂは、筐体部２ａの内部に設けられ、照射面２ａ１に向けて光を照射する。
発光素子２ｂは、例えば、発光ダイオードやレーザダイオードなどとすることができる。
発光素子２ｂの数には特に限定はない。発光素子２ｂの数は、導光部３の大きさなどに応じて適宜変更することができる。すなわち、発光素子２ｂの数は、１個以上であればよい。
【００３６】
発光素子２ｂの形態には特に限定はない。発光素子２ｂは、例えば、砲弾型の発光素子であってもよいし、表面実装型（チップ型）の発光素子であってもよい。  
発光素子２ｂに設けられた図示しない端子は、筐体部２ａから露出している。筐体部２ａから露出する図示しない端子には、コネクタなどを介して外部の電源などが接続される。
【００３７】
発光部２から照射される光の色には特に限定はない。発光部２から照射される光の色は、例えば、車両の内装材の色やデザインなどを考慮して適宜変更することができる。  
発光部２から照射される光の色は、例えば、蛍光体を含む樹脂などからなる波長変換部を設け、蛍光体の種類を適宜選択することで変更することができる。  
例えば、発光素子２ｂが青色発光ダイオード、蛍光体がＹＡＧ系蛍光体（イットリウム・アルミニウム・ガーネット系蛍光体）である場合には、青色発光ダイオードから照射された青色の光によりＹＡＧ系蛍光体が励起され、ＹＡＧ系蛍光体から黄色の蛍光が放射される。そして、青色の光と黄色の光が混ざり合うことで、白色の光が発光部２から照射される。  
この様に、発光部２から照射される光の色は、蛍光体の種類を適宜選択することで変更することができる。
【００３８】
導光部３は、平面視において、環状となっている。  
導光部３は、透光性を有する材料から形成されている。導光部３は、例えば、アクリル樹脂やポリカーボネート樹脂などの透明樹脂から形成することができる。
【００３９】
導光部３は、第１の照射部３ａ、入射部３ｂ、第２の照射部３ｃ、入射部３ｄ、第３の照射部３ｅ、および第４の照射部３ｆを有する。
【００４０】
平面視における第１の照射部３ａの内周面３ａ１の形状は、挿入される容器の外周面の形状の一部と相似となるようにすることができる。  
図３に例示をしたものの場合には、平面視における第１の照射部３ａの内周面３ａ１の形状は、円の一部となっている。
【００４１】
入射部３ｂは、棒状を呈し、第１の照射部３ａの外方に向けて突出している。  
入射部３ｂの一端は、第１の照射部３ａの外周面に接続されている。入射部３ｂの他端は、発光部２に対峙している。入射部３ｂの他端は、発光部２からの光が入射する入射面となっている。
【００４２】
第２の照射部３ｃは、第１の照射部３ａと同様の形状および寸法を有するものとすることができる。この場合、第２の照射部３ｃは、導光部３の中心に対して第１の照射部３ａと点対称となっている。
【００４３】
入射部３ｄは、入射部３ｂと同様の形状および寸法を有するものとすることができる。この場合、入射部３ｄは、導光部３の中心に対して入射部３ｂと点対称となっている。
なお、図３に例示をしたものの場合には、発光部２が２つ設けられているため入射部３ｂと入射部３ｄを設けているが、発光部２が１つの場合には入射部３ｂまたは入射部３ｄを設ける必要はない。  
入射部の数は、発光部２の数と同じとすることができる。
【００４４】
第３の照射部３ｅは、第１の照射部３ａと第２の照射部３ｃとの間に設けられている。
第３の照射部３ｅは、一端が第１の照射部３ａの一端に設けられ、他端が第２の照射部３ｃの一端に設けられている。  
第４の照射部３ｆは、第１の照射部３ａと第２の照射部３ｃとの間に設けられている。  第４の照射部３ｆは、一端が第１の照射部３ａの他端に設けられ、他端が第２の照射部３ｃの他端に設けられている。
【００４５】
第１の照射部３ａ、入射部３ｂ、第２の照射部３ｃ、入射部３ｄ、第３の照射部３ｅ、および第４の照射部３ｆの断面形状、すなわち、導光部３の断面形状には特に限定はない。
ただし、図４に示すように、導光部３の断面形状を矩形とすれば、導光部３とカバー部１０１との間の密着性、および、導光部３と保持部１０２との間の密着性を向上させることができる。
【００４６】
導光部３の内周面３ｇ以外の面は外部から視認することができない。これに対して、導光部３の内周面３ｇは、カバー部１０１の孔部１０１ａを介して外部から視認することができる。  
この場合、内周面３ｇに明るさのむらがあると、視認がし難くなったり、商品価値が低下したりするおそれがある。
【００４７】
図５は、比較例に係る導光部３０における光漏れの様子を例示するための図である。
比較例に係る導光部３０においては、第１の照射部３０ａの内周面３０ａ１の接線方向から導光部３０に光を導入している。  
また、平面視における導光部３０の各要素の幅寸法が同一となっている。  
図５は、光線追跡シミュレーションを行い、導光部３０からの光漏れを求めたものである。
【００４８】
ここで、導光部３への光の導入効率を高くするためには、入射部３ｂの軸線３ｂ１と、入射部３ｂと第１の照射部３ａとの接続部分における中心を通り第１の照射部３ａの内周面３ａ１に接する線３ａ２と、の間の角度θを０°にすればよい。  
すなわち、第１の照射部３ａの内周面３ａ１の接線方向から導光部３に光を導入すればよい。
【００４９】
ところが、第１の照射部３ａの内周面３ａ１の接線方向から導光部３に光を導入すれば、図５に示すように、入射部３ｂと第１の照射部３ａとの接続部分の近傍において光漏れが多くなる。  
そのため、入射部３ｂと第１の照射部３ａとの接続部分の近傍において内周面３０ａ１が明るくなりすぎる。  
このことは、入射部３ｄと第２の照射部３ｃとの接続部分の近傍についても同様である。
【００５０】
また、平面視における第１の照射部３ａ、第２の照射部３ｃ、第３の照射部３ｅ、および第４の照射部３ｆの幅寸法を同じにすると、図５に示すように、第１の照射部３ａと第３の照射部３ｅとの接続部分の近傍、第１の照射部３ａと第４の照射部３ｆとの接続部分の近傍、第２の照射部３ｃと第３の照射部３ｅとの接続部分の近傍、第２の照射部３ｃと第４の照射部３ｆとの接続部分の近傍において光漏れが多くなる。  
そのため、これらの接続部分の近傍において内周面が明るくなりすぎる。
【００５１】
本実施の形態に係る照明装置１においては、入射部３ｂの軸線３ｂ１と、入射部３ｂと第１の照射部３ａとの接続部分における中心を通り第１の照射部３ａの内周面３ａ１に接する線３ａ２と、の間の角度θが０°を超えるものとしている。  
この場合、角度θを大きくすると接続部分の近傍において導光部３の外周面から漏れる光が多くなる。そのため、内周面が明るくなるのを抑制することができる。  
しかしながら、角度θを大きくしすぎると、接続部分の近傍において内周面が暗くなりすぎる。
【００５２】
図６は、本実施の形態に係る導光部３における光漏れの様子を例示するための図である。
図６は、光線追跡シミュレーションを行い、導光部３からの光漏れを求めたものである。
角度θが０°を超え１５°以下となれば、図６に示すように、接続部分の近傍において導光部３の内周面側に漏れる光を少なくすることができ、且つ、内周面（発光面）の明るさのむらを少なくすることができる。
【００５３】
また、導光部３においては、平面視における第３の照射部３ｅの幅寸法Ｗ３および第４の照射部３ｆの幅寸法Ｗ４が、第１の照射部３ａの幅寸法Ｗ１および第２の照射部３ｃの幅寸法Ｗ２よりも長くなっている。  
この様にすれば、接続部分の近傍に入射する光の入射角が臨界角以上になりやすくなる。そのため、図６に示すように、接続部分の近傍において導光部３の内周面側に漏れる光を少なくすることができ、且つ、内周面の明るさのむらを少なくすることができる。
【００５４】
また、導光部３においては、平面視における入射部３ｂと第１の照射部３ａとの接続部分の近傍における幅寸法Ｗ５が、第１の照射部３ａの幅寸法Ｗ１よりも長くなっている。  この様にすれば、接続部分の近傍に入射する光の入射角が臨界角以上になりやすくなる。そのため、図６に示すように、接続部分の近傍において導光部３の内周面側に漏れる光を少なくすることができ、且つ、内周面の明るさのむらを少なくすることができる。
このことは、入射部３ｄと第２の照射部３ｃとの接続部分の近傍についても同様である。
【００５５】
図７（ａ）、（ｂ）は、導光部３の断面寸法と入光効率との関係を例示するためのグラフ図である。  
図７（ａ）に示すように、光の伝播方向において入射部３ｂから遠い位置に受光面を設定した。  
導光部３の断面形状は正方形とした。  
そして、導光部３の断面寸法を変化させて、受光面に到達する光の強度をシミュレーションにより求めた。  
図７（ｂ）から分かるように、導光部３の幅寸法および厚み寸法を３ｍｍ以上とすれば、入光効率を向上させることができる。
【００５６】
ここで、導光部３の外周面から漏れる光を少なくすれば、内周面の明るさをより明るくすることができる。  
例えば、導光部３の外周面に凹凸を設ける様にすれば、外周面に入射した光が凹凸により乱反射するので、内周面から光を取り出しやすくなる。  
この場合、伝搬距離が長くなるほど（入射部から遠くなるほど）光の強度が弱くなる。  そのため、伝搬距離が長くなるほど凹凸の大きさを大きくするか、凸部同士の間の寸法または凹部同士の間の寸法、すなわちピッチ寸法を短くすることが好ましい。  
この様にすれば、伝搬距離が長くなっても内周面の明るさを明るくすることができる。  外周面の凹凸は、例えば、ブラスト加工により形成することができる。また、凹凸の大きさやピッチ寸法は、ブラスト加工のプロセス条件を制御することで調整することができる。
【００５７】
また、導光部３の内周面に凹凸を設けることもできる。導光部３の内周面に凹凸を設けるようにすれば、内周面から照射される光を拡散させることができる。内周面の凹凸は、例えば、ブラスト加工により形成することができる。また、凹凸の大きさやピッチ寸法は、ブラスト加工のプロセス条件を制御することで調整することができる。
【００５８】
また、前述したように、接続部分の近傍における導光部３の幅寸法を長くすれば、接続部分の近傍における内周面の明るさを低減させることができる。  
そのため、伝搬距離が長い位置における接続部分の幅寸法を短くすることで、伝搬距離が長くなっても接続部分の近傍における内周面の明るさを明るくすることができる。
【００５９】
また、以上においては、容器を２つまで保持させることができる容器ホルダ１００を例示したが、容器を１つ、あるいは容器を３つ以上保持させることができる容器ホルダにも適用することができる。  
図８は、１つの容器を保持させることができる容器ホルダ１１０を例示するための模式斜視図である。  
図９は、容器ホルダ１１０に設けられる導光部１３を例示するための模式図である。
【００６０】
図８および図９に示すように、容器ホルダ１１０には、カバー部１１１、保持部１１２、および照明装置１１が設けられている。  
照明装置１１には、発光部２および環状の導光部１３が設けられている。  
１つの容器を保持させること以外は、前述した容器ホルダ１００および照明装置１と同様とすることができる。  
そのため、容器ホルダ１１０に関する詳細な説明は省略する。
【００６１】
また、導光部３の外周面に設けられた入射部３ｂを例示したが、入射部３ｂは、導光部３のカバー部１０１および保持部１０２が設けられる側の少なくともいずれかの端面に設けられていてもよい。すなわち、入射部は、一端が導光部に設けられ、他端が発光部に対峙していればよい。
【００６２】
図１０は、他の実施形態に係る入射部の配設形態を例示するための模式斜視図である。
図１０に示すように、入射部３ｂは、導光部３の保持部１０２が設けられる側の端面に設けられていてもよい。
【００６３】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００６４】
１  照明装置、２  発光部、２ａ  筐体部、２ｂ  発光素子、３  導光部、３ａ  第１の照射部、３ａ１  内周面、３ａ２  線、３ｂ  入射部、３ｂ１  軸線、３ｃ  第２の照射部、３ｄ  入射部、３ｅ  第３の照射部、３ｆ  第４の照射部、３ｇ  内周面、１１  照明装置、１３  導光部、１００  容器ホルダ、１０１  カバー部、１０１ａ  孔部、１０２  保持部、１０２ａ  取付座、１１０  容器ホルダ、１１１  カバー部、１１２  保持部
【図１】
2015050110.tif 000003
【図２】
2015050110.tif 000004
【図３】
2015050110.tif 000005
【図４】
2015050110.tif 000006
【図５】
2015050110.tif 000007
【図６】
2015050110.tif 000008
【図７】
2015050110.tif 000009
【図８】
2015050110.tif 000010
【図９】
2015050110.tif 000011
【図１０】
2015050110.tif 000012